(57)【特許請求の範囲】
【請求項１】
通常動作モードと当該通常動作モードよりも低消費電力の省エネルギー動作モードとの切り替えが可能な機器に備えられる操作表示装置であって、
前記機器の消費電力又は消費電力モードを表示する表示部を有する操作部と、装置全体を制御する第１の制御部と、前記表示部を制御する第２の制御部と、主電源からの電力供給に伴う前記機器の消費電力値を測定する電力測定部と、を有し、
前記表示部は、前記第１の制御部により取得された前記消費電力に係る情報と前記消費電力モードに係る情報とが通知された前記第２の制御部からの制御を受けて前記消費電力、前記消費電力モードを表示し、当該消費電力に係る情報として、前記機器が前記通常動作モードである場合に前記電力測定部から前記第１の制御部により取得された前記消費電力値を表示すると共に、前記省エネルギー動作モードである場合に前記第２の制御部により予め定められた消費電力値を表示することを特徴とする操作表示装置。
【請求項２】
請求項１記載の操作表示装置において、
太陽電池と、前記主電源から供給される電力を前記太陽電池から供給される電力に切り替えるための電源切替部と、を有し、
前記表示部は、前記機器が前記省エネルギー動作モードである場合に前記電源切替部により切り替えられた前記太陽電池からの電力が供給されることを特徴とする操作表示装置。
【請求項３】
請求項２記載の操作表示装置において、
手動で前記機器が前記省エネルギー動作モードから前記通常動作モードへ復帰するときとの指示を行うモード指示用キーを有し、
前記モード指示用キーは、前記機器が前記通常動作モードである場合に前記主電源からの電力が供給されると共に、前記省エネルギー動作モードである場合に前記電源切替部により切り替えられた前記太陽電池からの電力が供給されることを特徴とする操作表示装置。
【請求項４】
請求項２又は３記載の操作表示装置において、前記消費電力モードとして前記省エネルギー動作モードを示す表示を行うためのＬＥＤと、前記太陽電池からの電力を監視する給電監視部と、前記ＬＥＤを点灯するための電源生成を行う電源生成部と、を有し、
前記給電監視部は、前記省エネルギー動作モードのときに前記太陽電池からの電力が閾値以下であるか否かを判定した結果、当該閾値以下である場合に前記電源生成部を制御して前記ＬＥＤを点灯することを特徴とする操作表示装置。
【請求項５】
請求項１〜４の何れか１項記載の操作表示装置において、
前記表示部における前記消費電力、前記消費電力モードの表示を行うか否かを選択して指示するための電力表示選択キーを有することを特徴とする操作表示装置。
【請求項６】
請求項１〜５の何れか１項記載の操作表示装置を備えたことを特徴とする画像形成装置。
【発明の詳細な説明】
【技術分野】
【０００１】
本発明は、省エネルギー機能を有する画像形成装置等の機器に備えられる操作表示装置に係り、詳しくは省エネルギー動作モードでの消費電力表示機能を持たせた操作表示装置に関する。
【背景技術】
【０００２】
従来、省エネルギー機能を有する機器に備えられる操作表示装置では、省エネルギー動作モード動作中における操作部の表示を工夫し、商用電力として主電源から供給される電力以外の太陽電池による電力を供給するようにしたもの（特許文献１参照）が知られている。
【０００３】
特許文献１の画像形成装置では、操作パネル部で消費される商用電力を節約するため、操作表示装置の操作パネル部における液晶（Ｌｉｑｕｉｄ  Ｃｒｙｓｔａｌ  Ｄｉｓｐｌａｙ：ＬＣＤ）とバックライトとを太陽電池で電力供給している。
【発明の概要】
【発明が解決しようとする課題】
【０００４】
上述した特許文献１に係る技術は、操作表示装置の操作パネル部におけるＬＣＤとバックライトとを太陽電池で電力供給して省エネルギー動作モード中の低消費電力化を有効に図っているが、ユーザが省エネルギー動作モード中における実際の消費電力や適確に低消費電力化が行われているか否かを表示により認識することができないという不便がある他、太陽電池を用いた電力供給であれば暗い場所では充分に電力供給できない可能性があり、こうしたときにユーザが省エネルギー動作モード中であることを認識できなくなってしまう恐れもある。
【０００５】
本発明は、このような問題点を解決すべくなされたもので、技術的課題の一つは、可能な限り省エネ機能を保持しつつ、ユーザが省エネモード中に実際に低消費電力化が行われていることを表示により認識できる操作表示装置を提供することにある。
【０００６】
また、技術的課題のもう一つは、暗い場所でも省エネモード中であることを容易に認識できる操作表示装置を提供することにある。
【課題を解決するための手段】
【０００７】
本発明は、上記技術的課題を解決したものであり、第１の発明は、通常動作モードと当該通常動作モードよりも低消費電力の省エネルギー動作モードとの切り替えが可能な機器に備えられる操作表示装置であって、機器の消費電力又は消費電力モードを表示する表示部を有する操作部と、装置全体を制御する第１の制御部と、表示部を制御する第２の制御部と、主電源からの電力供給に伴う機器の消費電力値を測定する電力測定部と、を有し、表示部は、第１の制御部により取得された消費電力に係る情報と消費電力モードに係る情報とが通知された第２の制御部からの制御を受けて消費電力、消費電力モードを表示し、当該消費電力に係る情報として、機器が通常動作モードである場合に電力測定部から第１の制御部により取得された消費電力値を表示すると共に、省エネルギー動作モードである場合に第２の制御部により予め定められた消費電力値を表示することを特徴とする。
【０００８】
第２の発明は、第１の発明において、太陽電池と、主電源から供給される電力を太陽電池から供給される電力に切り替えるための電源切替部と、を有し、表示部は、機器が省エネルギー動作モードである場合に電源切替部により切り替えられた太陽電池からの電力が供給されることを特徴とする。
【０００９】
第３の発明は、第２の発明において、手動で機器が省エネルギー動作モードから通常動作モードへ復帰するときとの指示を行うモード指示用キーを有し、モード指示用キーは、機器が通常動作モードである場合に主電源からの電力が供給されると共に、省エネルギー動作モードである場合に電源切替部により切り替えられた太陽電池からの電力が供給されることを特徴とする。
【００１０】
第４の発明は、第２の発明又は第３の発明において、消費電力モードとして省エネルギー動作モードを示す表示を行うためのＬＥＤと、太陽電池からの電力を監視する給電監視部と、ＬＥＤを点灯するための電源生成を行う電源生成部と、を有し、給電監視部は、省エネルギー動作モードのときに太陽電池からの電力が閾値以下であるか否かを判定した結果、当該閾値以下である場合に電源生成部を制御してＬＥＤを点灯することを特徴とする。
【００１１】
第５の発明は、第１の発明〜第４の発明の何れか１つの発明において、表示部における消費電力、消費電力モードの表示を行うか否かを選択して指示するための電力表示選択キーを有することを特徴とする。
【００１２】
第６の発明は、第１の発明〜第５の発明の何れか１つの発明の操作表示装置を備えた画像形成装置であることを特徴とする。
【発明の効果】
【００１５】
本発明の操作表示装置によれば、機器の消費電力又は消費電力モードを表示する操作部の表示部において、第１の制御部により取得された消費電力に係る情報と消費電力モードに係る情報とが通知された第２の制御部からの制御を受けて消費電力、消費電力モードを表示し、更に消費電力に係る情報として、機器が通常動作モードである場合に電力測定部から第１の制御部により取得された消費電力値を表示すると共に、省エネルギー動作モードである場合に第２の制御部により予め定められた消費電力値を表示するため、ユーザが省エネルギー動作モード中に適確に低消費電力化が行われているかを表示により認識することができる。
【図面の簡単な説明】
【００１６】
【図１】本発明の実施例１に係る機器に搭載される操作表示装置の要部である操作部の基本構成を示したブロック図である。
【図２】図１に示す操作表示装置の表示部における通常動作モードでの消費電力の表示パターンを例示した図である。
【図３】図１に示す操作表示装置の表示部における省エネルギー動作モードでの消費電力の表示パターンを例示した図である。
【図４】図１に示す操作表示装置の操作部における局部のサブ基板の細部構成の一例を示した概略ブロック図である。
【図５】図４で説明したサブ基板のマイコン（マイクロコンピュータ）によるサブＬＣＤ制御の動作処理を示したフローチャートである。
【図６】図１に示す操作表示装置の操作部を備えた画像形成装置の基本構成を例示した概略ブロック図である。
【図７】図６に示す操作部の一例である操作表示装置の外観構成を示したものである。
【図８】図１に示す操作表示装置の操作部における局部のサブ基板の細部構成の他例を示した概略ブロック図である。
【図９】図６に示す画像形成装置に適用される電力測定部をその周辺部を含めて示した簡易ブロック図である。
【発明を実施するための形態】
【００１７】
以下に、本発明の操作表示装置について、図面を参照して詳細に説明する。
【実施例１】
【００１８】
図１は、本発明の実施例１に係る機器に搭載される操作表示装置の要部である操作部の基本構成を示したブロック図である。
【００１９】
この操作部は、通常動作モードとこの通常動作モードよりも低消費電力の省エネルギー動作モードとの切り替えが可能な機器に備えられるもので、機器の操作指示を行うための表示部上の表面に配置されて操作指示を検知するタッチパネル１０７と、操作指示に必要なボタン、文字を表示する第１の表示部となるメイン基板１０１と、機器の消費電力、並びに省エネルギー動作モードについての電力モードを表示する第２の表示部となるサブ基板１０４と、を備える他、ＬＥＤバックライト１０５及びＬＣＤパネル１０６を備えて構成される。
【００２０】
このうち、メイン基板１０１には、ＣＰＵ１０３とメモリ１０２とが配備され、ＣＰＵ１０３がメモリ１０２上のプログラムに基づいて操作部全体の制御を実行する。また、サブ基板１０４には、マイコン（マイクロコンピュータ）１１１、キー１１０、サブＬＣＤ１０９が配備され、マイコン１１１がキー１１０の押下検出やサブＬＣＤ１０９の表示制御を行う。
【００２１】
通常動作モード状態では、ＣＰＵ１０３からの制御でＬＥＤバックライト１０５を点灯し、ＬＣＤパネル１０６の表示が見えるようにする。ＬＣＤパネル１０６上の表示はコントローラ側からの情報に基づいてＣＰＵ１０３が画像を作成し、ＬＣＤパネル１０６へ画像データを転送することにより行う。ユーザによる操作指示についてはタッチパネル１０７の押下位置をＣＰＵ１０３が検知し、コントローラ側へ操作データを送ることによりコントローラ側に対する動作指示を行う。また、タッチパネル１０７で操作指示する内容以外の操作指示はキー１１０により行われ、マイコン１１１がキー１１０の状態を検知してＣＰＵ１０３に通知する。更に、この情報をＣＰＵ１０３からコントローラ側へ送ることにより、コントローラ側に対する動作指示を行う。サブＬＣＤ１０９は消費電力、並びに省エネルギー動作モードについての電力モードを表示するＬＣＤであり、機器の動作状態がコントローラ側からＣＰＵ１０３に伝えられたとき、ＣＰＵ１０３がマイコン１１１にその動作状態に対応する消費電力値を含む表示内容を伝える。そこで、マイコン１１１は消費電力値、並びに省エネルギー動作モードである場合にはその電力モードを示す省エネモードをサブＬＣＤ１０９に表示する。
【００２２】
図２は、この操作表示装置の表示部（サブＬＣＤ１０９）における通常動作モードでの消費電力の表示パターンを例示した図である。ここでは、通常動作モードでの消費電力表示例として、消費電力が８００Ｗの場合を示している。
【００２３】
図３は、この操作表示装置の表示部（サブＬＣＤ１０９）における省エネルギー動作モードでの消費電力の表示パターンを例示した図である。ここでは、省エネルギー動作モードでの消費電力表示例として、消費電力が１０Ｗであり、省エネモードである場合を示している。
【００２４】
即ち、係る操作表示装置においては、基本機能としてユーザが省エネルギー動作モード中に適確に低消費電力化が行われているかを表示により認識することができる。
【００２５】
図４は、上述した操作表示装置の操作部における局部のサブ基板１０４の細部構成の一例を示した概略ブロック図である。
【００２６】
サブ基板１０４では、マイコン４０５の制御により通常動作モードや省エネルギー動作モードに応じ、商用電力として主電源から供給される電力と太陽電池４０２からの電力とを電源切り替え部４０３で切り替え、サブＬＣＤ４０７の制御を行う。
【００２７】
具体的に云えば、マイコン４０５はＲＡＭ４０６に格納されたプログラムを読み出して実行する。マイコン４０５はメイン基板４０１上のＣＰＵとデータ通信を行い、指示された消費電力値や省エネモードの表示内容をサブＬＣＤ４０７に表示する。サブ基板１０４上の電源供給は省エネルギー動作モード状態と通常動作モード状態とでは異なる。
【００２８】
通常動作モード状態では、メイン基板４０１から供給される電源を電源切り替え部４０３によりマイコン４０５、ＲＡＭ４０６、サブＬＣＤ４０７に供給する。省エネルギー動作モード状態では、その旨をメイン基板４０１上のＣＰＵから通知されたマイコン４０５が電源切り替え部４０３を制御し、太陽電池４０２からの電源をマイコン４０５、ＲＡＭ４０６、サブＬＣＤ４０７に供給するように切り替える。
【００２９】
このように、省エネルギー動作モード中は太陽電池４０２で電力供給し、その電力消費状態を表示することにより、省エネルギー動作モード状態で余分な電力を消費してしまうことを防止できる。
【００３０】
ところで、操作表示装置の操作部が置かれている場所が十分な明るさがある場合、太陽電池４０２は十分な電力を供給できるが、置かれている場所が暗い場合には太陽電池４０２から十分な電力を供給することができない。また、暗い場所ではバックライトがないとサブＬＣＤ４０７が良く見えない。
【００３１】
こうした暗い場所で太陽電池４０２から十分に電力供給できない場合の対策としては、図４中の給電監視部４０４、電源生成部４０８、省エネＬＥＤ４０９の働きで賄うことができる。
【００３２】
具体的に云えば、省エネルギー動作モード中でマイコン４０５、ＲＡＭ４０６、サブＬＣＤ４０７へ太陽電池４０２からの電力供給が電源切り替え部４０３で選択されている時、太陽電池４０２からの電力が閾値以下になった場合を給電監視部４０４で検知し、電源切り替え部４０３にその旨の信号を伝え、電源切り替え部４０３がマイコン４０５、ＲＡＭ４０６、サブＬＣＤ４０７に供給する電力を０にする。このとき、給電監視部４０４は更に電源生成部４０８へ制御信号を送信し、メイン基板４０１側からの電源電力に基づいて電源生成させ、電源生成部４０８で生成された電源で省エネＬＥＤ４０９を点灯する。
【００３３】
このように暗い場所ではサブＬＣＤ４０７の表示がオフになるが、省エネＬＥＤ４０９を点灯して省エネルギー動作モード状態であることをユーザに認識させることができる。
【００３４】
一方、サブＬＣＤ４０７近辺に消費電力、電力モードの表示を行うか否かを選択して指示するための電力表示選択キー（図示せず）を設け、ユーザが必要としているときにのみ、サブＬＣＤ４０７に対する消費電力、電力モードの表示を行わせるようにすることもできる。即ち、電力表示選択キーが押下されたときにだけ、消費電力、電力モードの表示を行うようにすれば良いもので、マイコン４０５でその押下状態を検知することができる。
【００３５】
図５は、ここでのサブ基板のマイコン４０５によるサブＬＣＤ４０７制御の動作処理を示したフローチャートである。
【００３６】
マイコン４０５によるサブＬＣＤ４０７制御では、まず電力表示選択キーの押下状態か否かの判定(ステップＳ５０１)を行い、この判定の結果、押下されていなければサブＬＣＤ４０７表示オフ(ステップＳ５０２)として動作処理を終了するが、押下されていればサブＬＣＤ４０７に表示(ステップＳ５０３)を行い、電力表示選択キーの押下状態か否かの判定(ステップＳ５０１)の前にリターンして動作処理を繰り返す。
【００３７】
即ち、この動作処理では、電力表示選択キーが押下されているときにのみ、サブＬＣＤ４０７に表示を行い、押下が解除されたときはサブＬＣＤ４０７の表示をオフするため、ユーザが必要としているときにだけ、消費電力、電力モードの表示を行うことにより、一層消費電力を節約することができる。
【００３８】
図６は、上述した操作表示装置の操作部６７０を備えた画像形成装置の基本構成を例示した概略ブロック図である。
【００３９】
この画像形成装置は、プリンタ、コピー、ファクシミリ、スキャナ等の各装置機能を１つの筐体内に収納したもので、１つの筐体内に表示部、印刷部、撮像部等を設けると共に、各装置機能にそれぞれ対応する種類のソフトウェアを設け、それらのソフトウェアを切り替えることより、各装置機能を個別に動作させることができるものである。
【００４０】
図６に示す画像形成装置は、コントローラ６６０と、操作部６７０と、ＦＣＵ（ファックスコントロールユニット）６８０と、ＵＳＢデバイス６９０と、ＩＥＥＥ１３９４デバイス６７１と、エンジン部６７２と、を備えて構成される。
【００４１】
このうち、コントローラ６６０は、ＣＰＵ６６１と、ＭＥＭ−Ｐ６６２と、ＮＢ（ノースブリッジ）６６３と、ＳＢ（サウスブリッジ）６６４と、ＡＳＩＣ６６６と、ＭＥＭ−Ｃ６６７と、ＨＤＤ６６８と、を備えて構成される。
【００４２】
操作部６７０は、コントローラ６６０におけるＡＳＩＣ６６６に接続されている。また、ＦＣＵ８０、ＵＳＢデバイス６９０、ＩＥＥＥ１３９４デバイス６７１、及びエンジン部６１０は、コントローラ６６０のＡＳＩＣ６６６にＰＣＩバスにより接続されている。
【００４３】
コントローラ６６０は、ＡＳＩＣ６６６にＭＥＭ−Ｃ６６７、ＨＤＤ６６８が接続されると共に、ＣＰＵ６６１とＡＳＩＣ６６６とがＣＰＵチップセットのＮＢ６６３を介して接続されている。このように、ＮＢ６６３を介してＣＰＵ６６１とＡＳＩＣ６６６とを接続すれば、ＣＰＵ６６１のインターフェースが公開されていない場合に対応できる。
【００４４】
なお、ＡＳＩＣ６６６とＮＢ６６３とはＰＣＩバスを介して接続されているのでなく、ＡＧＰ（Ａｃｃｅｌｅｒａｔｅｄ  Ｇｒａｐｈｉｃｓ  Ｐｏｒｔ）６６５を介して接続されている。このように、アプリケーションやプラットフォームを形成する一つ以上のプロセスを実行制御するため、ＡＳＩＣ６６６とＮＢ６６３とを低速のＰＣＩバスでなくＡＧＰ６６５を介して接続し、パフォーマンスの低下を防いでいる。
【００４５】
ＣＰＵ６６１は、画像形成装置の全体制御を行うものである。ＣＰＵ６６１は、ＯＳ（オペレーティングシステム）上にＳＣＳ（システムコントロールサービス）、ＳＲＭ（システムリソースマネージャ）、ＥＣＳ（エンジンコントロールサービス）、ＭＣＳ（メモリコントロールサービス）、ＯＣＳ（操作部コントロールサービス）、ＦＣＳ（ファンクションコントロールサービス）、及びＮＣＳ（ネットワークコントロールサービス）をそれぞれプロセスとして起動して実行させると共に、アプリケーションＡＰを形成するプリンタアプリ、コピーアプリ、ファックスアプリ、スキャナＡＰ、ネットファイルＡＰ、工程検査ＡＰ、ＷｅｂページＡＰ、及び文書管理ＡＰを起動して実行させる。
【００４６】
ＮＢ６６３は、ＣＰＵ６６１、ＭＥＭ−Ｐ６６２、ＳＢ６６４、及びＡＳＩＣ６６６を接続するためのブリッジである。
【００４７】
ＭＥＭ−Ｐ６６２は、画像形成装置の描画用メモリ等として用いるシステムメモリである。ＳＢ６６４は、ＮＢ６６３とＲＯＭ、ＰＣＩバス、周辺デバイスとを接続するためのブリッジである。
【００４８】
ＭＥＭ−Ｃ６６７は、コピー用画像バッファ、符号バッファとして用いるローカルメモリである。ＡＳＩＣ６６６は、画像処理用のハードウェア要素を有する画像処理用途向けのＩＣである。ＨＤＤ６６８は、画像データの蓄積、文書データの蓄積、プログラムの蓄積、フォントデータの蓄積、フォームの蓄積を行うためのストレージである。
【００４９】
操作部６７０は、ユーザ（オペレータ）からの入力操作を受け付けると共に、ユーザ（オペレータ）に向けた表示を行う上記構成のものである。
【００５０】
即ち、業務用機器である画像形成装置に操作表示装置（操作部６７０）を適用すれば、上述した長所が顕著なものとなる。
【００５１】
図７は、ここでの操作部６７０の一例である操作表示装置７０１の外観構成を示したものである。
【００５２】
この操作表示装置７０１は、機能切り替えのための複数のキーであるコピーキー７０２、ファックスキー７０３、プリンタキー７０４、及びスキャナキー７０５と、カラー／モノクロ選択、用紙選択、変倍設定等を指定するボタンや「コピー可能」等の機器の状態を表示するＬＣＤパネル１０６についてのＬＣＤパネル領域部７０６と、ＬＣＤパネル領域部７０６の表面側に配置されてその表示を視認可能とする透明材から成ると共に、ＬＣＤパネル領域部７０６上のボタンをタッチした状態を検知して通知するタッチパネル１０７についてのタッチパネル領域部７１６と、消費電力値や省エネモードを表示するサブＬＣＤ１０９（或いはサブＬＣＤ４０７）についてのサブＬＣＤ領域部７０７と、省エネルギー動作モード中に電力供給するための太陽電池４０２についての太陽電池領域部７０８と、を備えている。
【００５３】
また、操作表示装置７０１は、設定状態をリセットするためのリセットキー７０９と、ジョブの割り込みを指示するための割り込みキー７１０と、コピー枚数等の数字入力が必要な場合の設定を行うテンキー、＊、＃を含んだ数字キー７１１と、数字入力をクリアする場合やジョブの停止等に用いるためのクリアストップキー７１２と、商用電源による主電源をオン・オフするための主電源キー７１３、機器の省エネルギーモードへの移行・復帰を手動で指示するための省エネキー７１４と、コピー、スキャナ、ファックス等の動作開示を指示するためのスタートキー７１５と、を備えている。
【００５４】
尚、ここでの操作表示装置７０１の基本構成は、あくまでも画像形成装置のコントローラ６６０に備えられるＡＳＩＣ６６６向けに対応する一例を示したものであり、必要に応じて部分的に他の機能部を追加したり、或いは削除する等の変更が可能なものである。
【００５５】
図８は、上述した操作表示装置の操作部における局部のサブ基板１０４´の細部構成の他例を示した概略ブロック図である。
【００５６】
このサブ基板１０４´の場合、先の図４に示したサブ基板１０４と比べ、マイコン４０５及び電源切り替え部４０３に接続されると共に、手動で機器が省エネルギー動作モードから通常動作モードへ復帰するときの指示を行うモード指示用キーとしてのスリープキー４１０（先の操作表示装置７０１における省エネキー７１４と同様なもの）が設けられている点が相違している。
【００５７】
ここでのスリープキー４１０は、機器が通常動作モードである場合に主電源からの電力が供給されると共に、省エネルギー動作モードである場合に電源切り替え部４０３により切り替えられた太陽電池４０２からの電力が供給される。
【００５８】
具体的に云えば、ここでもマイコン４０５は、ＲＡＭ４０６から読み出したプログラムを実行し、メイン基板４０１のＣＰＵと通信を行うことより指示された消費電力値等の表示内容をサブＬＣＤ４０７に表示するが、サブ基板１０４´上の電源供給は省エネルギー動作モード状態と通常動作モード状態とでは異なる。
【００５９】
通常動作モード状態では、メイン基板４０１から供給される電源を電源切り替え部４０３によりマイコン４０５、ＲＡＭ４０６、スリープキー４１０、サブＬＣＤ４０７に供給する。省エネルギー動作モード状態では、その旨をメイン基板４０１上のＣＰＵから通知されたマイコン４０５が電源切り替え部４０３を制御し、太陽電池４０２からの電源をマイコン４０５、ＲＡＭ４０６、スリープキー４１０、サブＬＣＤ４０７に供給するように切り替える。尚、スリープキー４１０により省エネルギー動作モードから通常動作モードへの復帰を手動で行わせた場合には、マイコン４０５からメイン基板４０１のＣＰＵを経由してコントローラ６６０のＡＳＩＣ６６６へその旨が通知され、ＡＳＩＣ６６６の動作制御により機器が省エネルギー動作モードから通常動作モードへ移行する。
【００６０】
このように、省エネルギー動作モードから通常動作モードへの復帰を手動で行わせるスリープキー４１０を含む場合においても、省エネルギー動作モード中は太陽電池４０２でスリープキー４１０へ電力供給し、その電力消費状態を表示することにより、省エネルギー動作モード状態で余分な電力を消費してしまうことを防止できる。
【００６１】
ところで、図９に示すように、画像形成装置（機器）における商用電源ＡＣ１００Ｖによる主電源からの電力供給にあっての消費電力値を測定する電力測定部５０１を備えるようにした上、通常動作モード時には電力測定部５０１から図１に示すメイン基板１０１のＣＰＵ１０３（或いは図４、図８に示すメイン基板４０１のＣＰＵ）により消費電力情報として取得した消費電力値をサブＬＣＤ１０９（或いは図４、図８に示すサブＬＣＤ４０７）に表示するようにし、省エネルギー動作モード時にはマイコン１１１（或いは図４、図８に示すマイコン４０５）により予め定められた消費電力値をサブＬＣＤ１０９（或いは図４、図８に示すサブＬＣＤ４０７）に表示するようにすれば、省エネルギー動作モード時に消費電力を表示する機能を保持しつつ、省エネルギー動作モード状態で余分な電力を消費してしまうことを防止できる。
【００６２】
尚、図９では電力測定部５０１で得られる消費電力値を示す測定値信号がコントローラ６６０のＣＰＵ６６１を経由してメイン基板１０１のＣＰＵ１０３（或いは図４、図８に示すメイン基板４０１のＣＰＵ）に伝送されることを示している。その他、電力測定部５０１の電源系は交流（ＡＣ）電源であるので、そのまま使用する用途もあるが、その他の用途ではＤＣ変換部５０２を通して後段で必要とされる直流（ＤＣ）電源にしておくことも示している。
【００６３】
動作処理を具体的に説明すれば、電力測定部５０１からの消費電力値を示す測定値信号が伝送されたメイン基板１０１のＣＰＵ１０３（或いは図４、図８に示すメイン基板４０１のＣＰＵ）は、マイコン１１１（或いは図４、図８に示すマイコン４０５）に消費電力値の表示内容を伝送する。マイコン１１１（或いは図４、図８に示すマイコン４０５）では、その消費電力値の表示内容をサブＬＣＤ１０９（或いは図４、図８に示すサブＬＣＤ４０７）に表示する。
【００６４】
機器の省エネルギー動作モードでは、コントローラ６６０側からの消費電力値を示す測定値信号が伝送されなくなる。そこで、マイコン１１１（或いは図４、図８に示すマイコン４０５）は、省エネルギー動作モードであることを検知して、予め省エネルギー動作状態で表示することを設定している消費電力値をサブＬＣＤ１０９（或いは図４、図８に示すサブＬＣＤ４０７）に表示する。
【００６５】
即ち、ここでは機器に専用の電力測定部５０１を設けているため、通常動作モード時には電力測定部５０１により測定した精度高い消費電力値を表示することができると共に、省エネルギー動作モード時にはマイコン１１１（或いは図４、図８に示すマイコン４０５）に予め設定されている消費電力値を表示するため、省エネルギー動作モード時における消費電力を表示する機能を保持しながら消費電力を極力低く抑制することができる。
【符号の説明】
【００６６】
１０１、４０１  メイン基板
１０２  メモリ
１０３、６６１  ＣＰＵ
１０４、１０４´  サブ基板
１０５  ＬＥＤバックライト
１０６  ＬＣＤパネル
１０７  タッチパネル
１０９、４０７  サブＬＣＤ
１１０  キー
１１１、４０５  マイコン（マイクロコンピュータ）
４０２  太陽電池
４０３  電源切り替え部
４０４  給電監視部
４０６  ＲＡＭ
４０８  電源生成部
４０９  省エネＬＥＤ
４１０  スリープキー
５０１  電力測定部
５０２  ＤＣ変換部
６６０  コントローラ
６６２  ＭＥＭ−Ｐ
６６３  ＮＢ
６６４  ＳＢ
６６５  ＡＧＰ
６６６  ＡＳＩＣ
６６７  ＭＥＭ−Ｃ
６６８  ＨＤＤ
６７０  操作部
６７１  ＩＥＥＥ１３９４デバイス
６７２  エンジン部
６８０  ＦＣＵ
６９０  ＵＳＢデバイス
７０１  操作表示装置
７０２  コピーキー
７０３  ファックスキー
７０４  プリンタキー
７０５  スキャナキー
７０６  ＬＣＤパネル領域部
７０７  サブＬＣＤ領域部
７０８  太陽電池領域部
７０９  リセットキー
７１０  割り込みキー
７１１  数字キー
７１２  クリアストップキー
７１３  主電源キー
７１４  省エネキー
７１５  スタートキー
７１６  タッチパネル領域部
【先行技術文献】
【特許文献】
【００６７】
【特許文献１】特開２００５−４００３号公報
【図１】
0005391977.tif 000002
【図２】
0005391977.tif 000003
【図３】
0005391977.tif 000004
【図４】
0005391977.tif 000005
【図５】
0005391977.tif 000006
【図６】
0005391977.tif 000007
【図７】
0005391977.tif 000008
【図８】
0005391977.tif 000009
【図９】
0005391977.tif 000010